(57)【要約】【課題】受信機間においてオーディオデータの出力状態を自動制御し得るオーディオ装置を提供する。【解決手段】スピーカ装置２０とＳＷ３０は、外部の通信装置からオーディオストリームデータを各々受信して放音を開始する。スピーカ装置２０は、ＳＷ３０と無線接続を行い、ＳＷ３０の放音を制御するための放音制御情報を生成し、生成した放音制御情報に基づいて放音することを指示するコマンドをＳＷ３０に送信する。ＳＷ３０は、スピーカ装置２０から送信されたコマンドを受信し、当該コマンドに従って通信装置から受信したオーディオストリームデータを放音する。【選択図】図７
2011055440.tif 000002
【特許請求の範囲】
【請求項１】
外部装置からブロードキャスト方式で送信されたオーディオストリームデータを受信する受信手段と、
前記受信手段により受信された前記オーディオストリームデータを放音する放音手段と、
前記オーディオストリームデータを受信することができる他の装置の放音に関する放音制御情報を生成する生成手段と、
前記他の装置を特定して前記生成手段により生成された前記放音制御情報を前記他の装置へ送信する送信手段と
を備えることを特徴とするオーディオ装置。
【請求項２】
前記他の装置との接続状態を検出する検出手段を備え、
前記生成手段は、前記検出手段により前記他の装置の接続が検出された場合に、前記放音制御情報を生成し、
前記送信手段は、前記他の装置に対して、前記生成手段により生成された前記放音制御情報を送信することを特徴とする請求項１記載のオーディオ装置。
【請求項３】
外部装置からブロードキャスト方式で送信されたオーディオストリームデータを受信する受信手段と、
前記オーディオストリームデータを受信することができる他の装置から当該オーディオストリームデータの放音に関する放音制御情報を受信する放音制御情報受信手段と、
前記放音制御情報受信手段により受信された前記放音制御情報に従って、前記受信手段により受信された前記オーディオデータを放音する放音手段と
を備えることを特徴とするオーディオ装置。
【発明の詳細な説明】
【技術分野】
【０００１】
本発明は、オーディオデータを受信する受信機間において出力制御を行うオーディオ装置に関する。
【背景技術】
【０００２】
下記の特許文献１には、オーディオアンプにサブウーファーが有線接続され、オーディオアンプからサブウーファーへオーディオ信号を伝送し、サブウーファーにおいて当該オーディオ信号の低域成分を抽出して出力するように構成されたオーディオシステムが開示されている。
このオーディオシステムのオーディオアンプには、サブウーファーの電源をオーディオアンプ側からコントロールするためのサブウーファー用の電源ボタンが設けられており、サブウーファー用の電源ボタンがユーザによって押下された場合には、オーディオアンプからサブウーファーに対し、可聴帯域のオーディオ信号の周波数より高い高周波信号をオーディオ信号と合成してサブウーファーに出力する。サブウーファーでは、合成信号から低域のオーディオ信号を抽出すると共に、高周波成分の信号を抽出することにより電源のオンオフを切替える。
このように、オーディオデータの送信側であるオーディオアンプから受信側であるサブウーファーの電源のオンオフを切替える等、送信機側から受信機を制御することは一般的に行われている。
【先行技術文献】
【特許文献】
【０００３】
【特許文献１】特開２００６−１４０８２４号公報
【発明の概要】
【発明が解決しようとする課題】
【０００４】
ところで、同じオーディオデータを複数の受信機で受信し、同時に出力するような場合には、各受信機が出力する音のボリュームや音域をバランス良く調整する必要がある。例えば、一方の受信機がＬチャネル、Ｒチャネルを担当し、他の受信機がサブウーファーの機能を担当する場合などは、これらの間でボリュームや音域の調整が必要になる。このような場合、上記従来技術のように、送信機側に各受信機をコントロールするための操作ボタンを設けて制御する構成とすることは、受信機毎に個別の調整が必要となり煩雑である。
本発明は、受信機間においてオーディオデータの出力状態を自動制御し得るオーディオ装置を提供する。
【課題を解決するための手段】
【０００５】
請求項１に係るオーディオ装置は、外部装置からブロードキャスト方式で送信されたオーディオストリームデータを受信する受信手段と、前記受信手段により受信された前記オーディオストリームデータを放音する放音手段と、前記オーディオストリームデータを受信することができる他の装置の放音に関する放音制御情報を生成する生成手段と、前記他の装置を特定して前記生成手段により生成された前記放音制御情報を前記他の装置へ送信する送信手段とを備えることを特徴とすることを特徴とする。
【０００６】
また、請求項２に係るオーディオ装置は、請求項１の構成において、前記他の装置との接続状態を検出する検出手段を備え、前記生成手段は、前記検出手段により前記他の装置の接続が検出された場合に、前記放音制御情報を生成し、前記送信手段は、前記他の装置に対して、前記生成手段により生成された前記放音制御情報を送信することを特徴とする。
【０００７】
また、請求項３に係るオーディオ装置は、外部装置からブロードキャスト方式で送信されたオーディオストリームデータを受信する受信手段と、前記オーディオストリームデータを受信することができる他の装置から当該オーディオストリームデータの放音に関する放音制御情報を受信する放音制御情報受信手段と、前記放音制御情報受信手段により受信された前記放音制御情報に従って、前記受信手段により受信された前記オーディオデータを放音する放音手段とを備えることを特徴とする。
【発明の効果】
【０００８】
請求項１の構成によれば、外部装置から送信されたオーディオストリームデータを自装置で受信して放音すると共に、当該オーディオストリームデータを受信することができる他の装置の放音について制御することができる。
【０００９】
請求項２の構成によれば、オーディオストリームデータを受信することができる他の装置を確実に特定して放音を制御することができる。
【００１０】
請求項３の構成によれば、自装置において受信したオーディオストリームデータを受信することができる他の装置からの制御に従って放音することができる。
【図面の簡単な説明】
【００１１】
【図１】実施形態に係るオーディオシステムのシステム構成例を示す図である。
【図２】実施形態におけるスピーカ装置のブロック図である。
【図３】(ａ)は、スピーカ装置だけで放音を行う場合の設定情報のデータ例を示す図である。(ｂ)は、スピーカ装置とサブウーファー装置とで放音を行う場合の設定情報のデータ例を示す図である。
【図４】実施形態におけるコマンドの構成例を示す図である。
【図５】実施形態におけるサブウーファー装置のブロック図である。
【図６】実施形態における通信装置のブロック図である。
【図７】実施形態に係るオーディオシステムの動作フローを示す図である。
【発明を実施するための形態】
【００１２】
＜概要＞
図１は、本実施形態におけるオーディオシステムのシステム構成図である。図１に示すように、オーディオシステム１は、それぞれ通信機能を有するスピーカ装置２０、低域の音を放音するサブウーファー装置(以下、ＳＷと言う。)３０、及び通信装置４０を含んで構成されており、通信装置４０とスピーカ装置２０、通信装置４０とＳＷ３０との間は無線リンクが確立されている。
【００１３】
通信装置４０は、携帯オーディオ機器４１と通信モジュール４２とで構成されており、両者は着脱自在になっている。携帯オーディオ機器４１が通信モジュール４２に装着されると、通信モジュール４２は、携帯オーディオ機器４１が出力する楽曲等のオーディオデータをパケット化し、通信モジュール４２を介してブロードキャストでストリーム伝送する。スピーカ装置２０とＳＷ３０は、通信装置４０が出力するオーディオデータを受信し、予め設定されたボリューム値や帯域に従って放音する。
【００１４】
スピーカ装置２０は、オーディオデータの受信時においてＳＷ３０との間で無線リンクを確立して無線接続を行い、ＳＷ３０において用いられるボリューム値や再生帯域を指示する放音制御情報を含む放音制御コマンドをＳＷ３０へ送信する。ＳＷ３０においては、スピーカ装置２０から送信された放音制御コマンドに従って、通信装置４０から受信したオーディオデータを放音する。以下、各装置の詳細について説明する。
【００１５】
＜構成＞
（スピーカ装置２０の構成）
図２は、スピーカ装置２０のブロック図であり、以下、図２に示す各部について説明する。無線通信部２１１は、通信制御部２１２の制御の下、他の装置との間で無線通信を行う。無線通信部２１１は電波の強度に応じた通信範囲内において通信接続可能な他の装置を検出して、物理層レベルでの無線リンクを確立する。また、無線通信部２１１は、通信装置４０との間で無線リンクが確立して通信可能な状態となった場合には、通信装置４０から送信されるオーディオストリームデータを受信して通信制御部２１２へ送出する。
【００１６】
通信制御部２１２は、制御部２１４の制御の下、他の装置との無線リンクの確立や無線リンクの切断、無線リンクが確立された装置との間でデータの送受信を行う等の各種通信処理を行うよう無線通信部２１１を制御する機能と、受信したオーディオデータを音声処理部２１５へ送出する機能を有する。
記憶部２１３は、不揮発性メモリなどの記憶媒体であり、自装置およびＳＷ３０の再生帯域を記憶するとともに、放音のボリュームを記憶する。ボリュームは、操作者が操作部２１８を操作することによって適宜値が変化するが、変化する毎に記憶部２１３に更新記憶されるようになっている。以下においては、再生帯域とボリュームを合わせて設定情報という。
【００１７】
ここで、本実施形態における設定情報の例を図３に示す。図３（ａ）は、スピーカ装置２０だけで放音を行う場合の設定情報のデータ例を示している。図３(ａ)に示すように、本実施形態では、ユーザ操作により現在設定されているボリューム値と、スピーカ装置２０の再生帯域が記憶されている。この例では、「０」〜「２５５」の範囲で値をとるボリューム値として「１２５」が設定されており、再生帯域として３０〜３３ｋＨｚが設定されている。
また、図３（ｂ）は、スピーカ装置２０とＳＷ３０の双方で放音を行う場合の設定情報のデータ例を示している。図３(ｂ)に示すように、この場合には、スピーカ装置２０とＳＷ３０の各々のボリューム値と帯域が記述される。なお、帯域は、デフォルト値が決められているが、ユーザ操作によって帯域の変更ができるようになっている。
【００１８】
なお、本実施形態では、設定情報のボリューム値と同じボリューム値がスピーカ装置２０とＳＷ３０に設定される例について説明するが、スピーカ装置２０に対するＳＷ３０のボリューム値の比率等が予め設定されている場合には、スピーカ装置２０に現在設定されているボリューム値に対する、スピーカ装置２０とＳＷ３０の比率に応じたボリューム値を各々設定するようにしてもよい。更に、上記の例では、ボリュームと帯域について設定されている例であるが、放音の遅延時間や音響効果に関する情報等が設定情報に含まれてもよい。
【００１９】
図２の説明に戻る。制御部２１４は、ＣＰＵ（Central Processing Unit）、ＲＯＭ（Read Only Memory）、ＲＡＭ（Random Access Memory）を含んで構成されており、ＣＰＵは、ＲＯＭに記憶されている制御プログラムをＲＡＭにロードして実行することにより、スピーカ装置２０の各部を制御する機能を有する。特に、制御部２１４は、通信装置４０からオーディオデータを受信した際に、設定情報に記憶されているＳＷ３０のボリューム値や帯域の設定情報を抽出してコマンドで指示する機能を有する。
【００２０】
ここで、本実施形態で用いるコマンドの構成例について図４を用いて説明する。図４は、スピーカ装置２０からＳＷ３０に対して送信する放音制御コマンドの一例を示す図である。図４に示すように、放音制御コマンドデータは、例えば１６バイトで構成されており、ヘッダー部とコマンド部とが含まれている。
【００２１】
ヘッダー部には、コマンドのシーケンスナンバーを示すｏｐｃｏｄｅと、コマンドデータのデータ長と、送信する装置を示す宛先ＮｏｄｅＩＤと、送信元の装置を示す送り元ＮｏｄｅＩＤとが含まれている。宛先ＮｏｄｅＩＤと送り元ＮｏｄｅＩＤは、ＳＷ３０とスピーカ装置２０の間でデータのやりとりを行う際に各装置のＩＤが設定される。本実施形態では、これらのＩＤは、通信装置４０と無線リンクが確立された際に、各装置を識別するＩＤとして通信装置４０により割り当てられる。
【００２２】
また、コマンド部は、機器ＩＤ、コントロールＩＤ、Ｄａｔａ０・・・Ｄａｔａ６のデータ部を含んで構成されている。機器ＩＤには、ＳＷの機器種別を示す情報が設定される。また、コントロールＩＤは、コマンドの実体を示す情報、例えば、ボリューム値変更の通知や、帯域の設定指示などを表す情報が設定される。データ部には、各コマンドＩＤに対応するコマンドで指示する内容のデータが設定される。
【００２３】
図２に戻り、スピーカ装置２０の構成の説明を続ける。音声処理部２１５は、ＤＳＰ（Digital Signal Processor）等で構成されており、制御部２１４の制御の下、スピーカ装置２０の放音制御情報に基づいて、通信制御部２１２から送出されたオーディオデータからスピーカ装置２０の再生帯域に対応するオーディオデータを抽出する等の音響処理を行ってＤＡ変換して増幅部２１６へ送出する機能を有する。
【００２４】
増幅部２１６は、音声処理部２１５が出力したオーディオ信号を増幅し、放音部２１７に出力させる。放音部２１７は、本実施形態においては複数のスピーカによってスピーカアレイが構成され、オーディオ信号の各チャンネルに対応した音響ビームを出力する。
【００２５】
操作部２１８は、ユーザからの指示を入力するための操作子（ボタン、つまみ、スイッチを含む）を有し、操作子に対するユーザ操作に応じた操作信号を出力する。例えば、ユーザは、ボリュームを調節するつまみを操作することでスピーカ装置２０において現在設定されているボリュームを変更することができる。表示部２１９は、制御部２１４の制御の下、スピーカ装置２０を操作するためのメニュー画面や設定情報の変更を行う設定画面などを表示する機能を有する。次に、ＳＷ３０の構成について説明する。
【００２６】
（ＳＷ３０の構成）
図５は、ＳＷ３０の構成を示すブロック図である。無線通信部３１１は、通信制御部３１２の制御の下、上述した無線通信部２１１と同様に、他の装置との間で無線通信を行う機能を有する。
【００２７】
また、通信制御部３１２は、上述した通信制御部２１２と同様、無線通信部３１１による各種通信処理を制御する機能を有する。音声処理部３１３は、ＳＷ３０において設定された再生帯域に基づき、無線通信部３１１から送出されたオーディオデータから低域のオーディオデータを抽出するなどの音響処理を行い、処理後のオーディオデータを放音部３１４へ送出する機能を有する。
【００２８】
放音部３１４は、音声処理部３１３により出力されたオーディオデータの楽音波形信号を設定されたボリューム値に応じた増幅率で増幅する増幅回路と、増幅した楽音波形信号を放音するスピーカとを有する。
【００２９】
（通信装置４０の構成）
図６は、通信装置４０の構成を示すブロック図である。図６に示すように、通信装置４０は、携帯オーディオ機器４１および通信モジュール４２を含んで構成されている。携帯オーディオ機器４１は、電池等の電源部(図示略)から電力が供給されており、通信モジュール４２は、インターフェース４１６と４２１を介して接続されている。本実施形態では、通信モジュール４２は、携帯オーディオ機器４１と接続されることで、携帯オーディオ機器４１内の電源部（図示略）から電力が供給される構成となっているが、通信モジュール４２内の各部に電力を供給する電池が通信モジュール４２内部に設けられていてもよい。以下、各装置の各部について説明する。
【００３０】
携帯オーディオ機器４１は、制御部４１１、記憶部４１２、操作部４１３、表示部４１４、音声出力部４１５、及びインターフェース４１６を含んで構成されている。制御部４１１は、ＣＰＵ、ＲＯＭ、及びＲＡＭを含んで構成されており、ＣＰＵは、ＲＯＭから制御プログラムをＲＡＭに読み出して実行することにより、携帯オーディオ機器４１の各部を制御する機能を有する。具体的には、通信モジュール４２がインターフェース４１６に接続された際には、後述する記憶部４１２内のオーディオデータのうち、ユーザによって選択されたオーディオデータをインターフェース４１６に送出し、通信モジュール４２へ出力する。
【００３１】
また、記憶部４１２は、例えばハードディスク、不揮発性メモリなどの記憶手段であって、楽曲や映像等のコンテンツデータや、コンテンツを再生する際のボリューム値等の情報を記憶する。操作部４１３は、ユーザが操作を行うための操作子を有し、操作子に対するユーザ操作に応じて、その操作内容を示す信号を制御部４１１へ送出する機能を有する。この操作子は、例えば、回転操作可能な操作子等であり、操作子の時計回りの回転操作によりボリューム値を増加させたり、反時計回りの回転操作によりボリューム値を減少させる等を指示することができる。
【００３２】
表示部４１４は、液晶等のディスプレイで構成されており、制御部４１１の制御の下、動画や静止画等の画像を表示する機能を有する。音声出力部４１５は、ヘッドホンなどの放音手段を接続する接続端子を有し、制御部４１１から入力されるオーディオ信号を放音手段から出力する機能を有する。インターフェース４１６は、通信モジュール４２等の外部機器と接続し、外部機器との間でやりとりされるデータを仲介する接続端子である。
【００３３】
次に通信モジュール４２の構成について説明する。通信モジュール４２は、インターフェース４２１、無線通信部４２２、及び通信制御部４２３を含んで構成されている。
無線通信部４２２と通信制御部４２３は、上述したスピーカ装置２０の無線通信部２１１及び通信制御部２１２と同様の機能を有し、外部装置との間で無線通信を行う機能を有する。
【００３４】
また、インターフェース４２１は、携帯オーディオ機器４１のインターフェース４１６と同様、外部機器と接続し、接続された機器との間でデータの授受を仲介する接続端子である。本実施形態では、携帯オーディオ機器４１と接続され、携帯オーディオ機器４１からオーディオデータを受け取って無線通信部４２２へ送出する。
【００３５】
＜動作＞
次に、本実施形態のオーディオシステム１の動作について説明する。通信装置４０、スピーカ装置２０、ＳＷ３０の電源がオンされ、通信装置４０から、マスタとして機能するためのマスタ要求がブロードキャスト送信される。スピーカ装置２０、ＳＷ３０はマスタが通信範囲内にあるかどうかを検索し、通信装置４０のマスタ要求を受信すると、通信装置４０との間にリンク確立する。
そして、通信装置４０の通信モジュール４２により、スピーカ装置２０とＳＷ３０に対して各々を識別するＩＤが割当てられ、各装置に対し、割当てたＩＤと通信モジュール４２を識別するＩＤとを含む接続要求信号が送信される。スピーカ装置２０とＳＷ３０は、割当てられたＩＤを自装置内に記憶し、接続要求信号に対する応答信号を通信装置４０に対して送信する。これにより通信装置４０とスピーカ装置２０、及び、通信装置４０とＳＷ３０の間で無線通信可能な状態となり、通信装置４０からスピーカ装置２０とＳＷ３０に対してオーディオデータのストリーム伝送が可能となる状態に遷移する。ここで、携帯オーディオ機器４１において、ユーザ操作によりオーディオデータが選択されて再生指示がなされると、通信装置４０からスピーカ装置２０とＳＷ３０に対してオーディオデータのストリーム伝送が開始される。
以下、上記の状態においてスピーカ装置２０とＳＷ３０が行う動作について、図７の動作フローを用いて説明する。
【００３６】
スピーカ装置２０は、通信装置４０からオーディオデータを順次受信し、記憶部２１３に記憶されている設定情報に従った再生帯域に対応するオーディオデータを抽出してＡＤ変換してオーディオ信号を生成する。増幅部２１６は、オーディオ信号を、設定情報に設定されているボリューム値に応じた増幅率で増幅し放音部２１７に送出する。この場合、図３（ａ）に示す設定情報に基づいて再生帯域が決められるため、中高域のオーディオデータの放音が開始される（ステップＳ１１）。
【００３７】
一方、ＳＷ３０においても、スピーカ装置２０と同様に、通信装置４０からオーディオデータを順次受信し、音声処理部３１３において、受信したオーディオデータから低域のオーディオデータを抽出し、予め設定されている増幅率に従ってオーディオ信号を増幅し、放音部３１４から放音する(ステップＳ２１)。これにより、ＳＷ３０からは低域のオーディオデータが放音される。このときの帯域は、ＳＷ３０において予め設定されているデフォルトの帯域である。なお、デフォルトの帯域に変えて前回設定された帯域を用いてもよい。
【００３８】
一方、スピーカ装置２０の制御部２１４は、通信制御部２１２を制御して無線通信部２１１から無線接続可能なＳＷ３０の検出を行うための検出信号を出力する。この検出信号には、スピーカ装置２０のＩＤを示す情報が含まれる(ステップＳ１２)。
ＳＷ３０は、ステップＳ１２においてスピーカ装置２０から送信された検出信号を、無線通信部３１１を介して受信した場合には(ステップＳ２２：ＹＥＳ)、その検出信号に対して、ＳＷ３０に割当てられたＩＤを示す情報を含む応答信号をスピーカ装置２０へ送信する(ステップＳ２３)。この処理によってスピーカ装置２０とＳＷ３０とは無線通信が可能な状態となる。
【００３９】
スピーカ装置２０の制御部２１４は、ＳＷ３０から応答信号を受信した場合、つまり、ＳＷ３０を検出した場合には(ステップＳ１３：ＹＥＳ)、記憶部２１３に記憶されている図３（ｂ）に示す設定情報からＳＷに関する情報を抽出して放音制御情報を生成する(ステップＳ１４)。
【００４０】
制御部２１４は、設定情報の変更があるか否かを判定する（ステップＳ１５）。例えば、ユーザによりボリューム等の設定を変更する操作が操作部２１８を介して行われていれば（ステップＳ１５：ＹＥＳ）、ステップＳ１４に戻り、設定情報を更新し、更新した設定情報から放音制御情報を生成する。
そして、設定情報の変更が無い場合、または設定情報の更新を行った後に再度の変更がない場合は（ステップＳ１５：ＮＯ）、ステップＳ１６に進む。この場合、図４のコマンドにおいて、ＳＷ３０に割当てられたＩＤを宛先ＮｏｄｅＩＤに設定し、コントロールＩＤに帯域の設定指示を示す情報を設定し、ＳＷ３０の帯域を示す放音制御情報をデータ部に設定した放音制御コマンドを生成してＳＷ３０に送信する。また、ボリューム値に変更があった場合には、コントロールＩＤにボリューム値変更の通知を示す情報を設定し、ＳＷ３０のボリューム値を示す放音制御情報をデータ部に設定した放音制御コマンドも生成してＳＷ３０に送信する(ステップＳ１６)。
【００４１】
制御部２１４は、図３（ｂ）に示す設定情報に応じた帯域、ボリュームとなるように音声処理部２１５を制御する。これにより、ＳＷがあるときに応じて設定された帯域のオーディオ信号がスピーカ装置２０から放音される。(ステップＳ１７)。
【００４２】
一方、ＳＷ３０の通信制御部３１２は、無線通信部３１１を介してスピーカ装置２０から放音制御コマンドを受信した場合には(ステップＳ２４：ＹＥＳ)、受信した放音制御コマンドを音声処理部３１３へ送出する。そして、音声処理部３１３において、無線通信部３１１を介して順次受信しているオーディオデータから、放音制御コマンドで指示された帯域のオーディオデータを抽出し、放音制御コマンドで指示されたボリューム値に応じた増幅率でオーディオデータの楽音波形信号を増幅して放音部３１４より出力する（ステップＳ２５）。
【００４３】
なお、ステップＳ１３において、スピーカ装置２０の制御部２１４は、ＳＷ３０からの応答信号を受信できず、ＳＷ３０を検出できない場合には(ステップＳ１３：ＮＯ)、ステップＳ１１の処理を継続して行うことにより、スピーカ装置２０の設定情報に従ったオーディオデータの放音が継続される。
【００４４】
また、ステップＳ２２において、ＳＷ３０の無線通信部３１１を介して検出信号が受信されなかった場合(ステップＳ２２：ＮＯ)、又は、ステップＳ２４において、ＳＷ３０の通信制御部３１２が、無線通信部３１１を介してスピーカ装置２０から放音制御コマンドを受信しなかった場合には(ステップＳ２４：ＮＯ)、ステップＳ２１の処理を継続して行うことにより、ＳＷ３０はデフォルト（または前回）で設定されたボリュームと帯域のオーディオ信号を放音する。
【００４５】
なお、ステップＳ２２で「ＹＥＳ」となるまでは、放音を行わないようにミュート処理をしてもよい。
【００４６】
このように、本実施形態では、ＳＷ３０が存在するときと存在しないときとで、スピーカ装置２０の再生帯域が自動的に切り替わり、さらに、通信装置４０から送信されるオーディオデータをスピーカ装置２０とＳＷ３０とで放音する場合に、スピーカ装置２０がＳＷ３０に対して放音に関するボリュームや帯域の制御情報を指示することで、スピーカ装置２０とＳＷ３０のボリュームや帯域がバランス良く自動調整される。
【００４７】
＜変形例＞
以上、本発明の実施形態について説明したが、本発明は上述した実施形態に限るものではなく、以下の変形例も含まれる。
【００４８】
（１）上述した実施形態では、スピーカ装置２０及びＳＷ３０は通信装置４０からオーディオデータを各々受信して放音する例について説明したが、通信装置４０以外からスピーカ装置２０が取得したオーディオデータをＳＷ３０に送信するようにしてもよい。このような場合の例としては、例えば、スピーカ装置２０に有線接続されたＤＶＤプレーヤー等からオーディオデータを取得してＳＷ３０に送信するようにしてもよい。また、スピーカ装置２０において音源等を備えている場合には、スピーカ装置２０においてオーディオデータを生成してＳＷ３０に送信してもよいし、予め記憶部２１３に記憶されているオーディオデータを読み出してＳＷ３０に送信するようにしてもよい。
なお、上記の場合におけるスピーカ装置２０とＳＷ３０との無線接続は、ユーザによってオーディオデータを取得する操作が行われた際に、スピーカ装置２０の制御部２１４においてＳＷ３０の検出を行い、ＳＷ３０と無線リンクを確立する。ＳＷ３０に対する放音制御情報を含む放音制御コマンドの送信は、ＳＷ３０と無線リンクが確立したときに、図７のステップＳ１４と同様、スピーカ装置２０とＳＷ３０の放音制御情報を生成し、放音制御情報を含む放音制御コマンドをＳＷ３０へ送信すると共に、取得したオーディオデータをパケット化してＳＷ３０に逐次送信する。この場合、例えば、オーディオデータとコマンドデータは時分割で送信するように構成してもよい。
【００４９】
（２）上述した実施形態では、通信装置４０からオーディオデータの受信時にスピーカ装置２０においてＳＷ３０の検出を行う例について説明したが、例えば、スピーカ装置２０と通信装置４０との間で無線リンクが確立したときや、スピーカ装置２０の電源がオンにされたとき等、オーディオデータの受信前にＳＷ３０の検出を行うようにしてもよい。
【００５０】
（３）上述した実施形態では、ＳＷ３０が放音する帯域やボリューム値を放音制御情報として指示するコマンドをスピーカ装置２０からＳＷ３０へ送信する例について説明したが、帯域又はボリューム値の少なくとも１つをコマンドで指示するようにしてもよいし、帯域とボリューム値以外に、ＳＷ３０の放音をスピーカ装置２０の放音より遅延させる遅延時間の情報等、ＳＷ３０の放音に関する制御情報をコマンドに含むようにしてもよい。
【００５１】
（４）上述した実施形態では、通信装置４０からオーディオデータを受信する受信機は、スピーカ装置２０とＳＷ３０である例について説明したが、受信機は３台以上であってもよい。このような場合には、受信機の中からコマンドを送信するマスタ装置を選出し、コマンドを送信するマスタ装置が他の受信機の検出を行って無線リンクを確立する。
そして、マスタ装置により、マスタ装置に設定されているボリューム値等の設定情報に応じて、各受信機のボリューム値等の放音制御情報を生成し、放音制御情報を他の各受信機に対してコマンドで指示するように構成する。なお、コマンドを送信するマスタ装置の選出は、ユーザ操作による手動で行ってもよいし、例えば、受信機に有線接続されている機器数や機器種別、又は受信機に設けられている機能に応じてマスタ装置として振舞うか否かを定める等の、予め定められたアルゴリズムに従ってマスタ装置を自動選出するようにしてもよい。
【００５２】
（５）上述した実施形態では、スピーカ装置２０がＳＷ３０を検出した場合に、検出したＳＷ３０のＩＤを設定した放音制御情報を含むコマンドを送信する例について説明したが、ＳＷ３０を検出する処理を行わずに、オーディオデータを受信可能な機器を示す情報を機器ＩＤに設定した放音制御コマンドをブロードキャストで送信するようにしてもよい。この場合、ＳＷ３０は、ブロードキャストで送信された放音制御コマンドの機器ＩＤに設定された情報が自装置の機器を示すものであれば、放音制御コマンドを受信し、放音制御コマンドに従って通信装置４０から受信しているオーディオデータを放音する。
【符号の説明】
【００５３】
１・・・オーディオシステム、２０・・・スピーカ装置、３０・・・サブウーファー装置、４０・・・通信装置、４１・・・携帯オーディオ機器、４２・・・通信モジュール、２１１，３１１，４２２・・・無線通信部、２１２，３１２，４２３・・・通信制御部２１４，４１２・・・記憶部、２１４，４１１・・・制御部、２１５，３１３・・・音声処理部、２１６・・・増幅部、２１７，３１４・・・放音部、２１８，４１３・・・操作部、２１９，４１４・・・表示部、３１１・・・無線通信部、４１５・・・音声出力部、４１６，４２１・・・インターフェース
【図１】
2011055440.tif 000003
【図２】
2011055440.tif 000004
【図３】
2011055440.tif 000005
【図４】
2011055440.tif 000006
【図５】
2011055440.tif 000007
【図６】
2011055440.tif 000008
【図７】
2011055440.tif 000009